【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
ムコル・ラセモサス（Mucor racemosus）、パエシロマイセス・リラシヌス（Paecitomyces lilacinus）、アスペルギルス・アスタス（Aspergillus ustus）又はトリコデルマ・インハマタム（Trichoderma inhamatum）の株を含む汚水処理組成物を、汚水に加えることを含む、汚水の処理方法。
【請求項２】
前記汚水処理組成物が、ムコル・ラセモサス（Mucor racemosus）株を含む、請求項１記載の方法。
【請求項３】
前記汚水処理組成物が、パエシロマイセス・リラシヌス（Paecitomyces lilacinus）株を含む、請求項１記載の方法。
【請求項４】
前記汚水処理組成物が、アスペルギルス・アスタス（Aspergillus ustus）株を含む、請求項１記載の方法。
【請求項５】
前記汚水処理組成物が、トリコデルマ・インハマタム（Trichoderma inhamatum）株を含む、請求項１記載の方法。
【請求項６】
前記汚水処理組成物が、ムコル・ラセモサス（Mucor racemosus）株及びアスペルギルス・アスタス（Aspergillus ustus）株を含む、請求項１記載の方法。
【請求項７】
前記汚水処理組成物が、ムコル・ラセモサス（Mucor racemosus）株及びパエシロマイセス・リラシヌス（Paecitomyces lilacinus）株を含む、請求項１記載の方法。
【請求項８】
前記汚水処理組成物が、ムコル・ラセモサス（Mucor racemosus）株及びトリコデルマ・インハマタム（Trichoderma inhamatum）株を含む、請求項１記載の方法。
【請求項９】
前記汚水処理組成物が、パエシロマイセス・リラシヌス（Paecitomyces lilacinus）株及びアスペルギルス・アスタス（Aspergillus ustus）株を含む、請求項１記載の方法。
【請求項１０】
前記汚水処理組成物が、パエシロマイセス・リラシヌス（Paecitomyces lilacinus）株及びトリコデルマ・インハマタム（Trichoderma inhamatum）株を含む、請求項１記載の方法。
【請求項１１】
前記汚水処理組成物が、アスペルギルス・アスタス（Aspergillus ustus）株及びトリコデルマ・インハマタム（Trichoderma inhamatum）株を含む、請求項１記載の方法。
【請求項１２】
前記汚水処理組成物が、ムコル・ラセモサス（Mucor racemosus）株、パエシロマイセス・リラシヌス（Paecitomyces lilacinus）株及びアスペルギルス・アスタス（Aspergillus ustus）株を含む、請求項１記載の方法。
【請求項１３】
前記汚水処理組成物が、ムコル・ラセモサス（Mucor racemosus）株、パエシロマイセス・リラシヌス（Paecitomyces lilacinus）株及びトリコデルマ・インハマタム（Trichoderma inhamatum）株を含む、請求項１記載の方法。
【請求項１４】
前記汚水処理組成物が、パエシロマイセス・リラシヌス（Paecitomyces lilacinus）株、アスペルギルス・アスタス（Aspergillus ustus）株及びトリコデルマ・インハマタム（Trichoderma inhamatum）株を含む、請求項１記載の方法。
【請求項１５】
前記汚水処理組成物が、ムコル・ラセモサス（Mucor racemosus）株、パエシロマイセス・リラシヌス（Paecitomyces lilacinus）株、アスペルギルス・アスタス（Aspergillus ustus）株及びトリコデルマ・インハマタム（Trichoderma inhamatum）株を含む、請求項１記載の方法。
【請求項１６】
前記汚水処理が、アラビナン、アラビノース、セルロース、フルクトース、ガラクタン、ガラクトース、グルカン、グルコース、マンナン、マンノース、スクロース、キシラン及びキシロース、又は木質線維、木材パルプ、あるいは他のパルプ副産物からなる群より選ばれる糖類を更に含む、請求項１記載の方法。
【請求項１７】
前記汚水処理組成物が、前記糖類が単糖類である時に１００〜４００ｍｇ／Ｌの濃度の糖類、及び前記糖類が多糖類である時に８，０００〜１５，０００ｍｇ／Ｌの濃度の糖類を含む、請求項１記載の方法。
【請求項１８】
前記処理が、好気的条件下で行われる、請求項１記載の方法。
【請求項１９】
前記処理が、−２００ｍＶ〜２００ｍＶの酸化還元電位で行われる、請求項１８記載の方法。
【請求項２０】
溶解された酸素濃度が、０．５〜７．０ミリグラム／リットルである、請求項１８記載の方法。
【請求項２１】
前記処理が、４〜１０のｐＨで行われる、請求項１記載の方法。
【請求項２２】
前記処理が、２０〜４５℃の温度で行われる、請求項１記載の方法。
【請求項２３】
前記処理が、２時間〜１４日間行われる、請求項１記載の方法。
【請求項２４】
前記処理が、バッチ式の半連続的又は連続的な処理である、請求項１記載の方法。
【請求項２５】
前記処理が、逐次バッチ反応器でのサイクルで行われる、請求項１記載の方法。
【請求項２６】
サイクル間でアルカリの添加を更に含む、請求項２５記載の方法。
【請求項２７】
前記の汚水の処理が、前記汚水処理組成物による処理の１〜５サイクルを含む、請求項１記載の方法。
【請求項２８】
各サイクルが、好気的及び嫌気的処理を変更することを含む、請求項２７記載の方法。
【請求項２９】
第１の処理が嫌気的である、請求項２８記載の方法。
【請求項３０】
汚水に栄養素を添加することを更に含む、請求項１記載の方法。
【請求項３１】
前記栄養素が、無機リン酸化合物を含む、請求項３０記載の方法。
【請求項３２】
前記栄養素が、アンモニア（ＮＨ３）又はアンモニウム塩（ＮＨ４＋）である、請求項３０記載の方法。
【請求項３３】
前記栄養素が、微量元素を含む、請求項３０記載の方法。
【請求項３４】
前記汚水が、パルプ製紙工場（pulp and paper mill）の汚水である、請求項１記載の方法。
【請求項３５】
前記のパルプ製紙工場の汚水が、きつい又は濃縮されたパルプ製紙工場汚水、薄い黒液体、酸段階で漂白された植物濾液、又はアルカリ段階で漂白されて植物濾液である、請求項３４記載の方法。
【請求項３６】
嫌気的条件での、木質繊維の汚水の通過を含む、請求項１記載の方法。
【請求項３７】
パルプ製紙処理由来の廃棄木質繊維、石灰及び細粒炭を含む集合体中の汚水の通過を含む、請求項１記載の方法。
【請求項３８】
前記汚水が、０．０５〜１リットル汚水／ｋｇ湿木質繊維量の割合で、木質繊維を通過する、請求項３７記載の方法。
【請求項３９】
前記汚水が、セルロース繊維、プラスチック、粉末又はセラミック媒体と共に木質繊維中を通過する、請求項３７記載の方法。
【請求項４０】
前記処理が、電子受容体の存在下で行われる、請求項１記載の方法。
【請求項４１】
前記汚水が、クロル化有機化合物を含む、請求項１記載の方法。
【請求項４２】
前記の汚水の化学的酸素要求が減少する、請求項１記載の方法。
【請求項４３】
ムコル・ラセモサス（Mucor racemosus）、パエシロマイセス・リラシヌス（Paecitomyces lilacinus）、アスペルギルス・アスタス（Aspergillus ustus）又はトリコデルマ・インハマタム（Trichoderma inhamatum）の株を含む汚水処理組成物。
【請求項４４】
ムコル・ラセモサス（Mucor racemosus）、パエシロマイセス・リラシヌス（Paecitomyces lilacinus）、アスペルギルス・アスタス（Aspergillus ustus）又はトリコデルマ・インハマタム（Trichoderma inhamatum）の株を汚水に添加することを含む、汚水におけるにおいを減少させる方法。
【請求項４５】
ムコル・ラセモサス（Mucor racemosus）NRRL 50031株の生物的に純粋な培養物。
【請求項４６】
パエシロマイセス・リラシヌス（Paecitomyces lilacinus）NRRL 50032株の生物的に純粋な培養物。
【請求項４７】
アスペルギルス・アスタス（Aspergillus ustus）NRRL 50033株の生物的に純粋な培養物。
【請求項４８】
トリコデルマ・インハマタム（Trichoderma inhamatum）NRRL 50034株の生物的に純粋な培養物。